(57)【要約】【課題】パララックスのない被写体画像を安定した姿勢で確認しながらフレーミングを行うことを可能にするデジタルカメラ用アタッチメントを提供する。【解決手段】アタッチメント１０は、筐体であるアタッチメント本体１１の前面には開口１２が設けられ、前方に突出された突出部１３の下面には係合部１４が設けられている。デジタルカメラ２０のカメラ本体２１の上面に設けられたアクセサリシュー２４に係合部１４を係合させることでアタッチメント１０はカメラ本体２１に固定される。デジタルカメラ本体２１の背面に設けられたＬＣＤ２５に表示される被写体画像は、アタッチメント本体１１内に設けられた反射光学部材であるミラー１６ａ、１６ｂによって、アタッチメント本体１１背面に設けられた接眼レンズ１５に導光される。【選択図】図２
2007101887.tif 000002
【特許請求の範囲】
【請求項１】
被写体を撮像して得られた画像を表示する表示手段を有するデジタルカメラに対して着脱自在に装着されるデジタルカメラ用アタッチメントにおいて、
前記表示手段を覆うように、前記デジタルカメラに着脱自在に装着されるアタッチメント本体と、
前記アタッチメント本体に設けられた接眼レンズと、
前記アタッチメント本体内に設けられ、前記表示手段に表示された画像を反射させて、前記接眼レンズに導く反射光学部材とを備えていることを特徴とするデジタルカメラ用アタッチメント。
【請求項２】
前記接眼レンズは、前記アタッチメント本体の背面上部に設けられていることを特徴とする請求項１記載のデジタルカメラ用アタッチメント。
【請求項３】
前記アタッチメント本体は、前記デジタルカメラに設けられ、カメラ用アクセサリが着脱自在に装着される装着部に固定されることを特徴とする請求項１または請求項２記載のデジタルカメラ用アタッチメント。
【請求項４】
前記アタッチメント本体は、一部が蛇腹状部材で形成され、伸縮自在であることを特徴とする請求項１ないし請求項３のいずれか記載のデジタルカメラ用アタッチメント。
【請求項５】
前記アタッチメント本体は、少なくとも２つの互いにスライド自在な部材で構成され、伸縮自在であることを特徴とする請求項１ないし請求項３のいずれか記載のデジタルカメラ用アタッチメント。
【発明の詳細な説明】
【技術分野】
【０００１】
本発明は、画像を表示する表示手段を有するデジタルカメラに使用されるデジタルカメラ用アタッチメントに関するものである。
【背景技術】
【０００２】
従来、デジタルカメラには、光学ファインダが設けられており、この光学ファインダを覗き込んで、フレーミングをすることにより撮影を行っている。そのため、撮影時における姿勢の安定性を確保できる。しかし、光学ファインダを用いて撮像する場合、光学ファインダで見える範囲と実際に撮影される範囲とにズレ、いわゆるパララックスが生じるという問題がある。
【０００３】
また、カメラ本体の背面に、被写体を撮像して得られた画像を表示する表示手段（例えば、ＬＣＤ等）が設けられたデジタルカメラが一般に普及している。このようなデジタルカメラでは、表示手段に表示されたスルー画を見てフレーミングを行って撮影することが可能である。このため、実際に撮影される範囲を確認しながら撮影することが可能であり、パララックスは生じない。また、光学ファインダを設けずに構造を簡略化したコンパクトで安価なデジタルカメラも知られている。
【０００４】
しかし、表示手段に表示されたスルー画を見てフレーミングを行う場合、周囲が明るい時には表示手段に表示されたスルー画を確認することが難しいという問題があったことや、ブレが生じ易いといった姿勢の安定性について問題があった。このような問題を解決するために、前述の表示手段とは別に、電子ビューファインダ（ＥＶＦ）を設けたものが知られている（例えば、特許文献１参照）。
【特許文献１】特開２００３−２３４９４２号公報
【発明の開示】
【発明が解決しようとする課題】
【０００５】
しかしながら、前述のようなＥＶＦはコストが高く、前述のように、コンパクトで安価なデジタルカメラに設けることは難しいという問題があった。
【０００６】
本発明は、上記課題を解決するためのものであり、デジタルカメラに着脱自在に装着され、パララックスのない被写体画像を安定した姿勢で確認しながらフレーミングを行うことを可能にするデジタルカメラ用アタッチメントを提供する。
【課題を解決するための手段】
【０００７】
上記目的を達成するために、本発明のデジタルカメラ用アタッチメントは、被写体を撮像して得られた画像を表示する表示手段を有するデジタルカメラに使用されるデジタルカメラ用アタッチメントであって、前記デジタルカメラに着脱自在に装着されるアタッチメント本体と、前記アタッチメント本体に設けられた接眼レンズと、前記アタッチメント本体内に設けられ、前記表示手段に表示された画像を反射させて、前記接眼レンズに導く反射光学部材とを備えていることを特徴とするものである。
【０００８】
なお、前記接眼レンズは、前記アタッチメント本体の背面上部に設けられていることが好ましい。
【０００９】
また、前記アタッチメント本体は、前記デジタルカメラに設けられ、カメラ用アクセサリが着脱自在に装着される装着部に固定されることが好ましい。
【００１０】
また、前記アタッチメント本体は、一部が蛇腹状部材で形成されているか、ないし少なくとも２つの互いにスライド自在な部材で構成されていることにより、伸縮自在であることが好ましい。
【発明の効果】
【００１１】
本発明のデジタルカメラ用アタッチメントによれば、被写体を撮像して得られた画像を表示する表示手段を覆うようにデジタルカメラに着脱自在に装着されるアタッチメント本体と、アタッチメント本体に設けられた接眼レンズと、アタッチメント本体内に設けられ、表示手段に表示された画像を反射させて、接眼レンズに導く反射光学部材とから構成したことにより、ＥＶＦや光学ファインダが設けられていないデジタルカメラであっても、パララックスのない被写体画像を安定した姿勢で確認しながらフレーミングを行って撮影することができる。また、周囲の明るさによらず、鮮明な被写体画像を見ながらフレーミングを行って撮影することができる。
【００１２】
また、接眼レンズがアタッチメントの背面上部に設けられているため、通常のＥＶＦや光学ファインダを用いる場合と同様の姿勢で、フレーミングを行うことができる。
【００１３】
アタッチメント本体は、カメラ用アクセサリが装着される装着部に固定されることから、特別な着脱機構を装着せずに済むので、製造コストを低くすることができる。
【００１４】
アタッチメント本体が伸縮自在にされているため、使用しない時にコンパクトになるため、携帯性を向上させることができる。
【発明を実施するための最良の形態】
【００１５】
第１の実施形態であるアタッチメント１０は、図１及び図２に示すように、デジタルカメラ２０に着脱自在に装着されるデジタルカメラ用アタッチメントである。デジタルカメラ２０は、カメラ本体２１の前面にレンズ鏡筒２２が設けられており、上面には、シャッタボタン２３と、カメラ用アクセサリ（例えば、外付けストロボ）が着脱自在に装着されるアクセサリシュー２４とが設けられている。
【００１６】
また、カメラ本体２１の背面には、ＬＣＤ２５が設けられている。このＬＣＤ２５は、固体撮像素子であるＣＣＤイメージセンサ（図示せず）によって撮像された画像を表示する表示手段であり、スルー画や、記録画像や、各種設定画面等が表示される。
【００１７】
前述のアタッチメント１０は、筐体であるアタッチメント本体１１の前面に、開口１２が設けられており、アタッチメント本体１１の前方に突出された突出部１３が設けられている。また、この突出部１３の下面には、前述のアクセサリシュー２４と係合する係合部１４が設けられている。この係合部１４をアクセサリシュー２４に挿入してスライド移動させることによって、係合部１４がアクセサリシュー２４と係合して、アタッチメント１０がカメラ本体２１に固定される。この時、アタッチメント本体１１によってＬＣＤ２５が覆われる。また、前述の開口１２は、アタッチメント１０がカメラ本体２１に固定された時に、ＬＣＤ２５と対面する位置に配置されている。
【００１８】
また、アタッチメント本体１１の背面には接眼レンズ１５が設けられており、アタッチメント本体１１内には、ＬＣＤ２５に表示される画像の表示光を反射させて、接眼レンズ１５に導く反射光学部材であるミラー１６ａ、１６ｂが設けられている。また、アタッチメント本体１１は、前述の開口１２と接眼レンズ１５が取り付けられている部分以外からは光が入射しないように、光密にされている。
【００１９】
ミラー１６ａは、前述の表示光が鉛直上方に向けて反射されるように、ＬＣＤ２５に対して４５度傾けて配置され、ミラー１６ｂは、ミラー１６ａと略平行に配置され、互いの反射面が対面するように配置されている。このため、ミラー１６ａによって反射された表示光が、ミラー１６ｂによって反射されて接眼レンズ１５に入射する。これらのミラー１６ａ、１６ｂとしては、表示光を反射させる反射面を有するものであれば良い。
【００２０】
以下に、上記構成のアタッチメント１０の作用について説明する。アタッチメント１０がカメラ本体２１に取り付けられた状態で、デジタルカメラ２０を撮影モードに設定する。この時、撮影レンズから入射した被写体光は、ＣＣＤイメージセンサに結像される。
【００２１】
ＣＣＤイメージセンサは、光電変換によって画像データを取得し、この画像データをＬＣＤ２５に表示する。この時、ミラー１６ａには、ＬＣＤ２５に表示された被写体画像が導光され、上下反転して逆像として映る。また、ミラー１６ｂには、ミラー１６ａに逆像として映し出された被写体画像が導光され、再度上下反転して正像として映る。これにより、接眼レンズ１５を矢印Ａ方向に覗き込むことで、ＬＣＤ２５に表示されたスルー画である被写体画像を観察することができる。
【００２２】
このように、着脱自在に装着されるアタッチメント１０をカメラ本体２１に取り付けることにより、ＬＣＤ２５に表示される被写体画像は接眼レンズ１５を覗き込むことで観察することができる。さらに、アタッチメント１０をカメラ本体２１から取り外すことにより、ＬＣＤ２５に表示された被写体画像を直接確認して撮像するができる。
【００２３】
また、ＬＣＤ２５に表示される被写体画像を、ミラー１６ａ、１６ｂを用いて屈曲させて接眼レンズ１５に導光させることにより、アタッチメント１０をコンパクトにすることができる。
【００２４】
また、接眼レンズ１５を通して、ＬＣＤ２５に表示された被写体画像を観察してフレーミングすることができるので、パララックスが生じることもない。また、アタッチメント本体１１は、前述したように、光密されているので、周囲が明るい場合でも被写体画像を確認し易い。
【００２５】
次に、第２の実施形態であるアタッチメント３０について説明する。このアタッチメント３０は、前述のアタッチメント１０と異なり、アタッチメント本体３１が伸縮自在にされている。以下に、アタッチメント３０の構成について説明する。
【００２６】
アタッチメント３０は、図３〜図５に示すように、デジタルカメラ２０に着脱自在に装着されるデジタルカメラ用アタッチメントである。このアタッチメント３０は、アタッチメント本体３１の一部が蛇腹状部材３２で形成されており、アタッチメント本体３１は、図４に示す伸長状態と図５に示す縮小状態との間で伸縮自在にされている。また、アタッチメント本体３１の前面には開口３３が設けられており、アタッチメント本体３１の前方には突出された突出部３４が設けられている。さらに、この突出部３４の下面には、係合部１４が設けられており、この係合部１４をカメラ本体２１上面に設けられたアクセサリシュー２４に挿入してスライド移動させることによって、係合部１４がアクセサリシュー２４と係合して、アタッチメント３０がカメラ本体２１に固定される。この時、アタッチメント３０によってＬＣＤ２５が覆われる。また、前述の開口３３は、アタッチメント３０がカメラ本体２１に固定された時に、ＬＣＤ２５と対面する位置に配置されている。
【００２７】
また、アタッチメント本体３１の背面には接眼レンズ１５が設けられており、アタッチメント本体３１内部には、ＬＣＤ２５に表示される画像の表示光を反射させて、接眼レンズ１５に導く反射光部材であるミラー１６ａ、１６ｂが設けられている。また、アタッチメント３０は、前述の開口３３と接眼レンズ１５が取り付けられている部分以外からは光が入射しないように、光密にされている。
【００２８】
ミラー１６ａの端部には、アタッチメント本体３１の両側面に固定された回転軸３５ａが接続されており、この回転軸３５ａを中心にミラー１６ａは回転自在となっている。また、ミラー１６ａの側端部には突起部３６ａが設けられており、この突起部３６ａは、留めピン３７ａによってアタッチメント本体３１の内部側面に回転自在に取り付けられた留め具３８ａの長孔部３９ａ内をスライド自在となっている。つまり、ミラー１６ａの側端部に設けられた突起部３６ａの移動範囲が留め具３８ａの長孔部３９ａ内に規制されていることから、ミラー１６ａの回転範囲も規制される。さらに、回転軸３５ａにはねじりばね４０ａが設けられており、このねじりばね４０ａは、図４に示す位置から図５に示す位置に付勢する。
【００２９】
ミラー１６ａは、ねじりばね４０ａに対してねじり力に反した力が作用されれば、回転軸３５ａを中心として反時計回りに回転移動可能となっている。ミラー１６ａが回転移動する時、ミラー１６ａの側端部に設けられた突起部３６ａは留め具３８ａの長孔部３９ａに沿うように移動し、留め具３８ａは突起部３６ａの移動に合わせて留めピン３７ａを中心に回転する。
【００３０】
ミラー１６ｂと留め具３８ｂとねじりばね４０ｂとは、ミラー１６ａと留め具３８ａとねじりばね４０ａとから構成される機構と同様な機構となるように設けられている。
【００３１】
図４に示すように、アタッチメント本体３１が伸長状態にされている場合、ばね４０ａの付勢力によってミラー１６ａは、前述の表示光が鉛直上方に向けて反射されるように、ＬＣＤ２５に対して４５度傾けて傾けて配置され、ミラー１６ｂは、ばね４０ｂの付勢力によってミラー１６ａと略平行に配置され、互いの反射面が対面するように配置されている。このため、ミラー１６ａによって反射された表示光が、ミラー１６ｂによって反射されて接眼レンズ１５に入射され、第１の実施形態と同一の効果が得られる。
【００３２】
また、図４に示す伸長状態において、アタッチメント本体３１に対して蛇腹状部材３２を縮める方向に力を加えると、アタッチメント本体３１の背面によってミラー１６ａ、１６ｂが押圧され、ねじりばね４０ａ、４０ｂに対しては、ねじり力に反した力が作用し、ミラー１６ａ、１６ｂはそれぞれ反時計回りに回転移動することとなり、図５に示すように蛇腹状部材３２は縮み、アタッチメント３０はコンパクトとなる。このため、アタッチメント３０の不使用時に、図５に示すようにアタッチメント本体３１を縮小することにより、携帯性の向上という効果が得られる。
【００３３】
次に、第３の実施形態であるアタッチメント５０について説明する。このアタッチメント５０は、第２の実施形態であるアタッチメント３０と同様、アタッチメント本体が伸縮自在にされている。以下に、アタッチメント５０の構成について説明する。
【００３４】
アタッチメント５０は、図６〜図８に示すように、デジタルカメラ２０に着脱自在に装着されるデジタルカメラ用アタッチメントである。アタッチメント本体５１は、互いにスライド自在である外枠５１ａ、５１ｂで構成され、外枠５１ａの前面には開口５２が設けられており、外枠５１ａの前方には突出された突出部５３が設けられている。また、この突出部５３の下面には、係合部１４が設けられており、この係合部１４をカメラ本体２１上面に設けられたアクセサリシュー２４に挿入してスライド移動させることによって、係合部１４がアクセサリシュー２４と係合して、アタッチメント５０がカメラ本体２１に固定される。この時、アタッチメント５０によってＬＣＤ２５が覆われる。また、前述の開口５２は、アタッチメント５０がカメラ本体２１に固定された時に、ＬＣＤ２５と対面する位置に配置されている。
【００３５】
また、外枠５１ｂの背面には接眼レンズ１５が設けられており、アタッチメント５０内部には、ＬＣＤ２５に表示される画像の表示光を反射させて、接眼レンズ１５に導く反射光部材であるミラー１６ａ、１６ｂが設けられている。また、アタッチメント５０は、前述の開口５２と接眼レンズが取り付けられている部分以外からは光が入射しないように、光密にされている。
【００３６】
ミラー１６ａの端部には、外枠５１ａの両側面に固定された回転軸５４ａが接続されており、この回転軸３５ａを中心にミラー１６ａは回転自在となっている。また、ミラー１６ａの側端部には突起部３６ａが設けられており、この突起部３６ａは、留めピン３７ａによって外枠５１ａの内部側面に回転自在に取り付けられた留め具３８ａの長孔部３９ａ内をスライド自在となっている。つまり、ミラー１６ａの側端部に設けられた突起部３６ａの移動範囲が留め具３８ａの長孔部３９ａに規制されていることから、ミラー１６ａの回転範囲も規制される。さらに、回転軸３５ａにはねじりばね４０ａは、図７に示す位置から図８に示す位置に付勢する。
【００３７】
ミラー１６ｂと留め具３８ｂとねじりばね４０ｂとは、ミラー１６ａと留め具３８ａとねじりばね４０ａとから構成される機構と同様な機構となるように設けられている。
【００３８】
図７に示すように、アタッチメント本体５０が伸長状態にされている場合、ばね４０ａの付勢力によってミラー１６ａは、前述の表示光が鉛直上方に向けて反射されるように、ＬＣＤ２５に対して４５度傾けて傾けて配置され、ミラー１６ｂは、ばね４０ｂの付勢力によってミラー１６ａと略平行に配置され、互いの反射面が対面するように配置されている。このため、ミラー１６ａによって反射された表示光が、ミラー１６ｂによって反射されて接眼レンズ１５に入射され、第１の実施形態ないし第２の実施形態と同一の効果が得られる。
【００３９】
また、図７に示す伸長状態において、アタッチメント本体５１に対して外枠５１ａ、５１ｂを縮める方向に力を加えることにより、アタッチメント５０をコンパクトとすることができる。このため、アタッチメント５０の不使用時に、図８に示すようにアタッチメント本体５１を縮小することにより、携帯性の向上という第２の実施形態と同一の効果が得られる。
【００４０】
なお、上記実施形態では、反射部材としてミラー１６ａ、１６ｂを取り付けたが、プリズムを用いてもよい。
【００４１】
さらに、アタッチメント本体１１、３１、５１、ミラー１６ａ、１６ｂのそれぞれのサイズは、デジタルカメラ２０のサイズやＬＣＤ２５の位置及びサイズに対応して適宜変更されるものである。
【００４２】
さらに、三脚用のネジ穴を利用してアタッチメントを固定するようにしても良い。
【００４３】
さらに、上記実施形態ではデジタルカメラの例について説明したが、本発明は、ビューファインダとして機能するＬＣＤを有するタイプであれば、デジタルビデオカメラ等にも利用することができる。
【図面の簡単な説明】
【００４４】
【図１】本発明を実施した第１の実施形態であるデジタルカメラ用アタッチメントと、このデジタルカメラ用アタッチメントが装着されるデジタルカメラとの前方外観斜視図である。
【図２】第１の実施形態であるデジタルカメラ用アタッチメントと、このデジタルカメラ用アタッチメントが装着されるデジタルカメラとの一部破断後方外観斜視図である。
【図３】第２の実施形態であるデジタルカメラ用アタッチメントが装着されたデジタルカメラの後方外観斜視図である。
【図４】第２の実施形態であるデジタルカメラ用アタッチメントが装着されたデジタルカメラの使用時における断面図である。
【図５】第２の実施形態であるデジタルカメラ用アタッチメントが装着されたデジタルカメラの携帯時における断面図である。
【図６】第３の実施形態であるデジタルカメラ用アタッチメントが装着されたデジタルカメラの後方外観斜視図である。
【図７】第３の実施形態であるデジタルカメラ用アタッチメントが装着されたデジタルカメラの使用時における断面図である。
【図８】第３の実施形態であるデジタルカメラ用アタッチメントが装着されたデジタルカメラの携帯時における断面図である。
【符号の説明】
【００４５】
１０、３０、５０  アタッチメント
１１、３１、５１  アタッチメント本体
１２、３３、５２  開口
１３、３４、５３  突出部
１４  係合部
１５  接眼レンズ
１６ａ、１６ｂ  ミラー
２０  デジタルカメラ
２１  カメラ本体
２２  レンズ鏡筒
２４  アクセサリシュー
２５  ＬＣＤ
３２  蛇腹状部材
５１ａ、５１ｂ  外枠
【図１】
2007101887.tif 000003
【図２】
2007101887.tif 000004
【図３】
2007101887.tif 000005
【図４】
2007101887.tif 000006
【図５】
2007101887.tif 000007
【図６】
2007101887.tif 000008
【図７】
2007101887.tif 000009
【図８】
2007101887.tif 000010